(57)【要約】【課題】収納箱が折り曲げられた後の見栄えを向上する。【解決手段】収納箱は、４つの側板と、４つの側板にそれぞれ連接される底形成用のフラップとを備える。４つの側板のうちの互いに対向する１組の側板には、フラップに連接する第１辺から、当該第１辺に対向する第２辺まで直線状に延びる第１折り曲げ部が設けられる。第１折り曲げ部には、第１辺の側から第２辺の側まで延びる側板折り曲げ線が複数形成される。フラップのうちの１組の側板にそれぞれ連接する各フラップには、第１折り曲げ部の延長線上に、第２折り曲げ部が設けられる。第２折り曲げ部には、第１折り曲げ部に形成される側板折り曲げ線の数よりも少ない数の底部折り曲げ線が形成される。【選択図】図２
2020026287.tif 000002
【特許請求の範囲】
【請求項１】
４つの側板と、
前記４つの側板にそれぞれ連接される底形成用のフラップとを備え、
前記４つの側板のうちの互いに対向する１組の側板には、前記フラップに連接する第１辺から、当該第１辺に対向する第２辺まで直線状に延びる第１折り曲げ部が設けられ、
前記第１折り曲げ部には、前記第１辺の側から前記第２辺の側まで延びる側板折り曲げ線が複数形成され、
前記フラップのうちの前記１組の側板にそれぞれ連接する各フラップには、前記第１折り曲げ部の延長線上に、第２折り曲げ部が設けられ、
前記第２折り曲げ部には、前記第１折り曲げ部に形成される前記側板折り曲げ線の数よりも少ない数の底部折り曲げ線が形成される、収納箱。
【請求項２】
少なくとも前記側板折り曲げ線は、ミシン目である、請求項１に記載の収納箱。
【請求項３】
前記第１折り曲げ部には、第１の側板折り曲げ線と、当該第１の側板折り曲げ線の左右方向における一方側に形成される第２の側板折り曲げ線と、当該第１の側板折り曲げ線の他方側に形成される第３の側板折り曲げ線とが形成される、請求項１または請求項２に記載の収納箱。
【請求項４】
前記第１から第３の側板折り曲げ線は、ミシン目であり、
前記第１の側板折り曲げ線のミシン目における切り込みの間隔は、前記第２および第３の側板折り曲げ線のミシン目における切り込みの間隔よりも長い、請求項３に記載の収納箱。
【請求項５】
前記底部折り曲げ線は、ミシン目であり、
前記第１の側板折り曲げ線のミシン目における切り込みの間隔は、前記底部折り曲げ線のミシン目における切り込みの間隔よりも長い、請求項３または請求項４に記載の収納箱。
【請求項６】
前記第１折り曲げ部は、前記第１辺の実質的に中心となる位置から前記第２辺の実質的に中心となる位置まで延びる、請求項１から請求項５のいずれか１項に記載の収納箱。
【請求項７】
前記第１折り曲げ部および前記第２折り曲げ部には、厚さ方向に押し潰す段潰し加工が施されている、請求項１から請求項６のいずれか１項に記載の収納箱。
【請求項８】
前記第２折り曲げ部における前記段潰し加工が施された部分の幅は、前記第１折り曲げ部における前記段潰し加工が施された部分の幅よりも広い、請求項７に記載の収納箱。
【発明の詳細な説明】
【技術分野】
【０００１】
本発明は、収納箱に関する。
【背景技術】
【０００２】
従来、側板に折り曲げ線を形成することによって、廃棄する際に箱を小さく折り畳みやすくできるようにした箱がある（例えば、特許文献１参照）。
【先行技術文献】
【特許文献】
【０００３】
【特許文献１】特開２００４−２３１１９２号公報
【発明の概要】
【発明が解決しようとする課題】
【０００４】
上記の箱においては、側板を折り曲げ線で折り曲げた後は廃棄されるため、折り曲げられた後の箱の見栄えを向上することについては想定されていなかった。
【０００５】
それ故、本発明の目的は、折り曲げられた後の見栄えを向上することができる収納箱を提供することである。
【課題を解決するための手段】
【０００６】
上記の課題を解決すべく、本発明は、以下の（１）〜（８）の構成を採用した。
【０００７】
（１）
本発明の一例は、４つの側板と、４つの側板にそれぞれ連接される底形成用のフラップとを備える収納箱である。４つの側板のうちの互いに対向する１組の側板には、フラップに連接する第１辺から、当該第１辺に対向する第２辺まで直線状に延びる第１折り曲げ部が設けられる。第１折り曲げ部には、第１辺の側から第２辺の側まで延びる側板折り曲げ線が複数形成される。フラップのうちの１組の側板にそれぞれ連接する各フラップには、第１折り曲げ部の延長線上に、第２折り曲げ部が設けられる。第２折り曲げ部には、第１折り曲げ部に形成される側板折り曲げ線の数よりも少ない数の底部折り曲げ線が形成される。
【０００８】
上記（１）の構成によれば、第１折り曲げ部を折り曲げた場合における折り跡の見栄えを向上することができ、一旦折り畳まれた後で組み立てられた収納箱の見栄えを向上することができる。また、底形成用のフラップについては、第１折り曲げ部に対する折り曲げに応じて折り曲げやすくすることができるとともに、収納箱の底部の強度を向上することができる。
【０００９】
（２）
少なくとも側板折り曲げ線は、ミシン目であってもよい。
【００１０】
上記（２）の構成によれば、側板折り曲げ線を折り曲げやすくすることができる。
【００１１】
（３）
第１折り曲げ部には、第１の側板折り曲げ線と、当該第１の側板折り曲げ線の左右方向における一方側に形成される第２の側板折り曲げ線と、当該第１の側板折り曲げ線の他方側に形成される第３の側板折り曲げ線とが形成されてもよい。
【００１２】
上記（３）の構成によれば、３本の折り曲げ線の位置とは異なる位置で側板が折り曲がる可能性を低減することができ、また、バランス良く側板を折り曲げることができる。これによって、収納箱の見栄えを向上することができる。
【００１３】
（４）
第１から第３の側板折り曲げ線は、ミシン目であってもよい。第１の側板折り曲げ線のミシン目における切り込みの間隔は、第２および第３の側板折り曲げ線のミシン目における切り込みの間隔よりも長くてもよい。
【００１４】
上記（４）の構成によれば、第１の側板折り曲げ線の強度を他の側板折り曲げ線に比べて高くすることができ、側板を折り曲げた際に他の側板折り曲げ線より大きく折れ曲がる第１の側板折り曲げ線のミシン目が割れてしまう可能性を低減することができる。
【００１５】
（５）
底部折り曲げ線は、ミシン目であってもよい。第１の側板折り曲げ線のミシン目における切り込みの間隔は、底部折り曲げ線のミシン目における切り込みの間隔よりも長くてもよい。
【００１６】
上記（５）の構成によれば、第１の側板折り曲げ線の強度を高くすることができ、側板を折り曲げた際に第１の側板折り曲げ線のミシン目が割れてしまう可能性を低減することができる。
【００１７】
（６）
第１折り曲げ部は、第１辺の実質的に中心となる位置から第２辺の実質的に中心となる位置まで延びていてもよい。
【００１８】
上記（６）の構成によれば、側板を折り曲げるように収納箱を折り畳んだ場合に収納箱の大きさを効果的に減少させることができる。
【００１９】
（７）
第１折り曲げ部および第２折り曲げ部には、厚さ方向に押し潰す段潰し加工が施されていてもよい。
【００２０】
上記（７）の構成によれば、折り曲げられた状態においてフラップの外側にある側板に対して当該フラップによって加えられる負荷を軽減することができるので、折り畳み部のミシン目が割れてしまう可能性を低減することができる。
【００２１】
（８）
第２折り曲げ部における段潰し加工が施された部分の幅は、第１折り曲げ部における段潰し加工が施された部分の幅よりも広くてもよい。
【００２２】
上記（８）の構成によれば、折り曲げられた状態においてフラップが側板に対して加える負荷をより軽減することができるので、折り畳み部のミシン目が割れてしまう可能性をより低減することができる。
【発明の効果】
【００２３】
上記収納箱によれば、折り曲げた後の見栄えを向上することができる。
【図面の簡単な説明】
【００２４】
【図１】本実施形態に係る収納箱の一例を示す図
【図２】収納箱のブランクの一例を示す平面図
【図３】図２に示す長側板の拡大図
【図４】４つの側板が環状に成形された収納箱を示す斜視図
【図５】折り畳み状態とされた収納箱を示す斜視図
【図６】収納箱が折り畳み状態となる場合における長側板およびフラップの状態を模式的に示す図
【図７】フラップを組み立てる手順の一例を示す図
【発明を実施するための形態】
【００２５】
［１．収納箱の概要］
図１は、本実施形態に係る収納箱の一例を示す図である。図１に示すように、本実施形態に係る収納箱１は、上側が開口した（換言すれば、上面がない）直方体状の形状である。本実施形態においては、収納箱１は、段ボールで構成される。なお、本実施形態において、収納箱１の大きさは任意である。また、収納箱１の材料となる段ボールの厚さおよび種類は任意である。
【００２６】
本実施形態においては、収納箱１は、収納箱１とは別体である底板２および蓋３とともに用いられる。底板２は、四角形の平板状の形状であり、収納箱１の底面の内側に載置される（図１参照）。また、蓋３は、必要に応じて、収納箱１の上側の開口を塞ぐように被せられて使用される。なお、他の実施形態においては、収納箱１は、単独で用いられるものであってもよい。
【００２７】
［２．収納箱の構成］
図２は、収納箱のブランクの一例を示す平面図である。詳細は後述するが、図２に示すブランクを組み立てることによって、収納箱１が成形される。
【００２８】
図２に示すように、収納箱１は、長方形の４つの側板１１〜１４を備える。収納箱１のブランクにおいては、４つの側板１１〜１４が１列に並んで連接される。ここで、図２における平面図に関する説明においては、側板１１〜１４が並ぶ方向を左右方向とし、当該左右方向に垂直な方向を上下方向とする。
【００２９】
本実施形態においては、側板１１〜１４のうちで、左右方向の長さが相対的に長い側板１１および１３を「長側板」と呼ぶ。また、側板１１〜１４のうちで、左右方向の長さが相対的に短い側板１２および１４を「短側板」と呼ぶ。
【００３０】
図２に示すように、収納箱１は、側板に連接する継代片１５を備える。継代片１５は、左右方向に連接される４つの側板１１〜１４のうちで左端にある長側板１１に連接される。詳細は後述するが、継代片１５は、上記４つの側板１１〜１４のうちで右端にある短側板１４と接着される。
【００３１】
図２に示すように、収納箱１は、４つのフラップ１６〜１９を備える。各フラップ１６〜１９は、４つの側板１１〜１４の下側の辺に、それぞれ１つずつ連接される。詳細は後述するが、各フラップ１６〜１９は、底面形成用のフラップである。つまり、収納箱１の底面は、４つのフラップ１６〜１９によって構成される。本実施形態においては、長側板１１の下辺に連接されるフラップ１６を「内フラップ」と呼び、短側板１２の下辺に連接されるフラップ１７、および、短側板１４の下辺に連接されるフラップ１９を「中フラップ」と呼び、長側板１３の下辺に連接されるフラップ１８を「外フラップ」と呼ぶ。
【００３２】
内フラップ１６は、矩形状であり、長側板１１に連接する側と反対側の下辺において、矩形状の切り欠きが形成された形状である。この切り欠きは、内フラップの下端において左右方向の中央に形成される。
【００３３】
中フラップ１７は、短側板１２に連接する台形状の部分と、当該台形状の部分の下端に連接する矩形状の突出部分とからなる。この台形状の部分は、右側の辺が台形の上辺（すなわち、短側板１２に連接する辺）に垂直であり、左側の辺が当該上辺に対して傾斜する形状である。また、中フラップ１９は、上記中フラップ１７と左右対称の形状である。
【００３４】
外フラップ１８は、長側板１３に連接する台形状の部分と、当該台形状の部分の下端に連接する矩形状の差込部分とからなる。この台形状の部分は、左右両側の辺が、台形の上辺（すなわち、長側板１３に連接する辺）に対して傾斜した等脚台形の形状である。
【００３５】
本実施形態においては、収納箱１は、上記の形状を有する４つのフラップ１６〜１９によって収納箱１の底面が構成される、Ｂ式底組タイプ（アメリカンロックまたは地獄底ともいう）の構造を有する。なお、他の実施形態においては、収納箱１の底面を形成するための構造は任意であり、例えば、Ａ式タイプであってもよい。
【００３６】
図２に示すように、側板とフラップとの境界（換言すれば、フラップと連接される側板の辺、あるいは、側板と連接されるフラップの辺）には、折り曲げ線が形成される（図２に示す一点鎖線参照）。本実施形態においては、側板とフラップとの境界に形成される折り曲げ線は、段ボールの肉厚を圧縮するように罫を入れて形成される罫線である。なお、罫線は、段ボールの表ライナから入れられてもよいし、裏ライナから入れられてもよい。
【００３７】
なお、図２においては、折り曲げ線として罫線が形成される箇所を、一点鎖線で示している。ここで、図２に示すように、本実施形態においては、短側板１２には、持ち手用の孔を形成するための切り込み２１が形成され、短側板１４には、持ち手用の孔を形成するための切り込み２２が形成される。これらの切り込み２１および２２は、下側に凸となる円弧状（換言すれば、Ｃの字状）の形状であり、各切り込み２１および２２の両端を結ぶ線上に、折り曲げ線として罫線が形成される。また、本実施形態においては、図２に示すように、長側板１１と継代片１５との境界に、折り曲げ線として罫線が形成される。
【００３８】
次に、図２および図３を参照して、長側板に設けられる折り曲げ部（以下、「側板折り曲げ部」と呼ぶ。）について説明する。図３は、図２に示す長側板１３の拡大図である。以下においては、２つの長側板１１および１３のうちの長側板１３に設けられる側板折り曲げ部３１と、長側板１３に連接する外フラップ１８に設けられる底折り曲げ部３６とについて詳細を説明する。なお、長側板１１と、長側板１１に連接する内フラップ１６とについては、長側板１３および外フラップ１８と同様に側板折り曲げ部３８および底折り曲げ部３９が設けられるので、詳細な説明を省略する。
【００３９】
図２および図３に示すように、長側板１３には、側板折り曲げ部３１が設けられる。側板折り曲げ部３１は、上下方向に延びる線状の領域であり、ある程度の幅を有するので、帯状の領域であるとも言える。側板折り曲げ部３１は、長側板１３のうちで、収納箱１が折り畳まれた状態（後述する図５参照）となる場合に折り曲げられる部分である。図３に示すように、側板折り曲げ部３１は、長側板１３の上辺Ｌ１から下辺Ｌ２まで延びるように設けられる。また、側板折り曲げ部３１は、左右方向に関して長側板１３の実質的に中央に設けられる。なお、本明細書において、「実質的に（ある状態となる）」とは、厳密にその状態となる場合（上記の例では、長側板１３の中央に設けられる場合）と、概ねその状態となる場合（上記の例では、長側板１３の中央付近に設けられる場合）との両方を含む意味である。
【００４０】
図３に示すように、側板折り曲げ部３１には、複数（具体的には、３本）の折り曲げ線３２〜３４が形成される。すなわち、側板折り曲げ部３１には、中折り曲げ線３２と、外折り曲げ線３３と、外折り曲げ線３４とが形成される。中折り曲げ線３２は、３本の折り曲げ線のうちで中央に形成される。外折り曲げ線３３は、中折り曲げ線３２の一方側（すなわち、左側）に形成され、外折り曲げ線３４は、中折り曲げ線３２の他方側（すなわち、右側）に形成される。３本の折り曲げ線３２〜３４は、互いに実質的に平行となるように、左右方向（すなわち、中折り曲げ線３２と実質的に直交する方向）に並んで形成される。
【００４１】
３本の折り曲げ線３２〜３４は、互いに近接した位置に形成される。本実施形態においては、３本の折り曲げ線３２〜３４は、左右方向に等間隔に形成される。折り曲げ線が形成される間隔（すなわち、中折り曲げ線３２と外折り曲げ線３３または３４との間隔）は、段ボールの厚さおよび種類等に基づいて適宜設定される。本実施形態においては、段ボールの厚さは３［ｍｍ］であり、上記間隔は７［ｍｍ］である。したがって、側板折り曲げ部３１の幅は１４［ｍｍ］である。
【００４２】
図３に示すように、本実施形態においては、各折り曲げ線３２〜３４は、ミシン目である。折り曲げ線３２〜３４をミシン目とすることによって、長側板１３を折り曲げやすくすることができる。また、折り曲げ線をミシン目とすることによって、折り曲げ線が罫線である場合に比べて、折り曲げ線とは異なる位置で長側板１３が折り曲げられてしまったり、折り曲げ線の周囲に皺が入ってしまったりする可能性を低減することができる。なお、本明細書において「ミシン目」とは、線上に間隔を空けて切り込みが形成される任意の折り曲げ線を指す。したがって、「ミシン目」とは、切り込みと切り込みとの間の線上に罫線が入れられた折り曲げ線（いわゆるリード罫）であってもよいし、切り込みと切り込みとの間の線上に罫線が入れられない折り曲げ線であってもよい。また、ミシン目の切り込みは、長側板の段ボールの表ライナから裏ライナまでを貫通するものであってもよいし、一方のライナから入れられて他方のライナまで貫通しないものであってもよい。
【００４３】
なお、他の実施形態においては、各折り曲げ線３２〜３４は、ミシン目以外の折り曲げ線であってもよい。例えば、各折り曲げ線３２〜３４は、罫線であってもよい。また、中折り曲げ線３２と外折り曲げ線３３および３４との折り曲げ線の種類は別であってもよい。例えば、中折り曲げ線３２はミシン目であって、外折り曲げ線３３および３４は罫線であってもよいし、中折り曲げ線３２は罫線であって、外折り曲げ線３３および３４はミシン目であってもよい。
【００４４】
本実施形態においては、中折り曲げ線３２のミシン目は、長側板１３の下辺Ｌ２（換言すれば、フラップが連接される辺）から所定長さまでの範囲（すなわち、図３に示す範囲Ａ）と、当該範囲外とでミシン目の種類が異なる。具体的には、図３に示すように、上記範囲Ａ内においては、ミシン目の切り込みの長さｃ１は５［ｍｍ］であり、切り込みの間隔ｄ１は１１［ｍｍ］である。一方、上記範囲Ａ外においては、ミシン目の切り込みの長さｃ２は８［ｍｍ］であり、切り込みの間隔ｄ２は８［ｍｍ］である。詳細は後述するが、上記のように中折り曲げ線３２のうちで長側板１３の下辺Ｌ２付近の部分におけるミシン目の種類を異ならせる（具体的には、切り込みの間隔を大きくする）理由は、当該部分の強度を向上させるためである。なお、他の実施形態においては、中折り曲げ線３２のミシン目の種類（具体的には、切り込みの長さおよび間隔）は、上記の部分とその他の部分とで同じであってもよい。
【００４５】
また、本実施形態においては、外折り曲げ線３３および３４のミシン目の種類は、中折り曲げ線３２のミシン目の種類とは異なる。具体的には、図３に示すように、上記ミシン目の切り込みの長さｃ３は５［ｍｍ］であり、切り込みの間隔ｄ３は５［ｍｍ］である。このように、本実施形態においては、中折り曲げ線３２と外折り曲げ線３３および３４とでは、強度（具体的には、ミシン目における切り込みの間隔）が異なるように設定される。
【００４６】
図３に示すように、本実施形態においては、各折り曲げ線３２〜３４については、長側板１３の下辺Ｌ２から離れた位置から切り込みが形成される。具体的には、中折り曲げ線３２のミシン目の切り込みは、長側板１３の下辺Ｌ２から上方向に１８［ｍｍ］離れた位置から上方に延びるように形成される。また、外折り曲げ線３３および３４のミシン目の切り込みは、長側板１３の下辺Ｌ２から上方向に１９［ｍｍ］離れた位置から上方に延びるように形成される。詳細は後述するが、長側板１３の下辺Ｌ２から離れてミシン目の切り込みを形成する理由は、側板折り曲げ部３１のうちで長側板１３の下辺Ｌ２付近の部分における強度を向上させるためである。なお、他の実施形態においては、各折り曲げ線３２〜３４のミシン目の切り込みは、長側板１３の下辺Ｌ２に接するように形成されてもよい。
【００４７】
図２および図３に示すように、外フラップ１８には、長側板１３の側板折り曲げ部３１の延長線上に底折り曲げ部３６が設けられる。底折り曲げ部３６には、１本の折り曲げ線が形成される。以下においては、フラップに形成される折り曲げ線を「底部折り曲げ線」と呼ぶ。詳細は後述するが、収納箱１が折り畳まれた状態（後述する図５参照）となる場合には、外フラップ１８は上記底部折り曲げ線で折り曲げられる。
【００４８】
本実施形態においては、底部折り曲げ線は、長側板に形成される上記折り曲げ線３２〜３４と同様、ミシン目である。また、上記ミシン目の切り込みの長さｃ４は５［ｍｍ］であり、切り込みの間隔ｄ４は５［ｍｍ］である。このように、本実施形態においては、底部折り曲げ線のミシン目の切り込みの長さおよび間隔は、上記外折り曲げ線３３および３４のミシン目の切り込みの長さおよび間隔と同じであるが、他の実施形態においては、異なっていてもよい。また、底部折り曲げ線のミシン目の切り込みは、長側板１３の下辺Ｌ２（すなわち、外フラップ１８の上辺）から離れた位置から下方に延びるように形成される。
【００４９】
なお、図２に示すように、内フラップ１６にも外フラップ１８と同様に、長側板１１の側板折り曲げ部３８の延長線上に底折り曲げ部３９が設けられ、底折り曲げ部３９に１本の折り曲げ線が形成される。
【００５０】
図３に示すように、本実施形態においては、長側板１３に設けられる上記側板折り曲げ部３１と、外フラップ１８に設けられる上記底折り曲げ部３６およびその周囲の部分（図３に示す帯状部分）３７とに対しては、段ボールを厚さ方向に押し潰す段潰し加工が施される。段潰し加工が施されることによって、折り曲げ部３１および帯状部分３７の厚さが、段潰し加工が施されていない部分の厚さに比べて薄くなる。なお、図２および図３においては、段潰し加工が施される部分を灰色で示している。
【００５１】
本実施形態においては、上記帯状部分３７は、左右方向について底折り曲げ部３６を中心として所定の幅を有する。本実施形態においては、帯状部分３７の幅（すなわち、左右方向の長さ）は、４０［ｍｍ］である。このように、本実施形態においては、帯状部分３７の幅は、側板折り曲げ部３１の幅（本実施形態においては、１４［ｍｍ］）よりも広い。詳細は後述するが、段潰し加工を施すことによって、収納箱１が折り畳まれた状態（図５参照）において、長側板１３の側板折り曲げ部３１に加わる負荷を低減することができ、側板折り曲げ部３１が割れてしまう可能性を低減することができる。
【００５２】
なお、図２に示すように、長側板１１の側板折り曲げ部３８と、内フラップ１６の底折り曲げ部３９およびその周囲の帯状部分４０にも、長側板１３の側板折り曲げ部３１および外フラップ１８の帯状部分３７と同様に、段潰し加工が施される。
【００５３】
［３．収納箱の組み立て］
次に、図２に示すブランクを組み立てて直方体状の収納箱１を成形する方法について説明する。図４は、４つの側板１１〜１４が環状に成形された収納箱を示す斜視図である。上述の収納箱１のブランクは、例えば段ボール板を打ち抜くことによって作成される。作成された収納箱１のブランクは、図４に示すように、４つの側板１１〜１４が環状になるように成形される。具体的には、４つの側板１１〜１４を各辺上の折り曲げ線で折り曲げるとともに、継代片１５を短側板１４の裏側に接着することによって、４つの側板１１〜１４が環状に成形される。
【００５４】
次に、収納箱１は、長側板１１および１３と各フラップ１６および１８とが折り曲げられた折り畳み状態にされる。収納箱１は、例えば、工場から出荷される前に（つまり、輸送前に）折り畳み状態とされる。折り畳み状態とすることで、収納箱１の大きさを小さくすることができ、輸送しやすくしたり、店頭での販売時における設置スペースを削減したりすることができる。
【００５５】
図５は、折り畳み状態とされた収納箱を示す斜視図である。収納箱１を折り畳み状態とする場合、各フラップ１６〜１９は、それぞれ各側板１１〜１４に重なるように折り曲げられる。具体的には、各フラップ１６〜１９は、フラップと側板との境界上の折り曲げ線で、環状の４つの側板１１〜１４の外側に重なるように折り曲げられる（図４に示す矢印参照）。
【００５６】
各フラップ１６〜１９が各側板１１〜１４に重なるように折り曲げられた状態の収納箱１は、長側板１１および１３と、内フラップ１６および外フラップ１８とが、上記側板折り曲げ部および底折り曲げ部で折り曲げられることによって、折り畳み状態となる。図５に示すように、各長側板１１および１３と各フラップ１６および１８とは、長側板の表側が向かい合うように（換言すれば、長側板が表側から見て窪むように）折り曲げられる。
【００５７】
以上のように、本実施形態においては、側板折り曲げ部および底折り曲げ部で折り曲げることによって収納箱１を容易に折り畳み状態とすることができる。収納箱１を図５に示すような折り畳み状態とすることで、例えば、側板の各辺上の折り曲げ線でのみ収納箱１を折り曲げた状態と比べて、収納箱１を小さくすることができる。例えば、収納箱１の輸送時、あるいは、店頭での販売時には、上記の折り畳み状態とすることで、輸送しやすくしたり、設置スペースを削減したりすることができる。
【００５８】
ここで、本実施形態においては、長側板の側板折り曲げ部は、左右方向に関して長側板の実質的に中央に設けられる。すなわち、長側板の側板折り曲げ部は、フラップに連接する第１辺（すなわち、長側板の下辺）の実質的に中心となる位置から、当該第１辺に対向する第２辺（すなわち、長側板の上辺）の実質的に中心となる位置まで延びる（図３参照）。したがって、折り畳み状態においては、２つの短側板１２および１４が左右方向にほとんどずれることなく重なるので（図５参照）、折り畳み状態とすることによって収納箱１のサイズを効果的に減少させることができる。なお、他の実施形態においては、長側板の側板折り曲げ部は、左右方向に関する長側板の中央付近の位置に限らず、他の位置に設けられてもよい。
【００５９】
なお、本実施形態においては、長側板の側板折り曲げ部には複数の折り曲げ線が形成されるのに対して、フラップには１本の折り曲げ線が形成される。これに関して、本実施形態においては、フラップは、底形成用であり、組み立て時には底になるので、見栄えをあまり考慮しなくてもよい。したがって、本実施形態においては、フラップに形成される折り曲げ線を、長側板の側板折り曲げ部に形成される折り曲げ線よりも少なくする（なお、少なくとも１本であればよく、２本にしてもよい）ことによって、底形成用のフラップの強度を向上している。また、フラップに形成される折り曲げ線を少なくすることによって、収納箱の製造を簡易化にすることができる。なお、他の実施形態においては、フラップに形成される折り曲げ線を、長側板の側板折り曲げ部に形成される折り曲げ線と同数にしてもよい。
【００６０】
図６は、収納箱１が折り畳み状態となる場合における長側板およびフラップの状態を模式的に示す図である。図６は、側板折り曲げ部３１が延びる方向に平行な向きから長側板１３および外フラップ１８を見た図である。図６に示すように、折り畳み状態においては、長側板１３が外側となり、外フラップ１８が内側となるように、長側板１３および外フラップ１８が折り曲げられる。
【００６１】
本実施形態においては、長側板１３の側板折り曲げ部３１は、複数（具体的には、３本）の折り曲げ線３２〜３４を含む。したがって、折り畳み状態においては、図６に示すように、各折り曲げ線３２〜３４のそれぞれが折り曲げられる。
【００６２】
ここで、長側板に形成される折り曲げ線が仮に１本である場合を考える。この場合、収納箱１を折り畳み状態とする際に、折り曲げ線からずれた位置で長側板が折れてしまう可能性がある。具体的には、収納箱１の強度を維持するべく、フルートが上下方向に延びる向きに段ボールが用いられるので、折り曲げ線から少しずれた位置のフルートに沿って長側板が折り曲げられてしまうことがある。したがって、上記の場合において、長側板が実際に折り曲げられる位置が折り曲げ線からずれてしまうと、収納箱１が折り畳み状態から組み立てられた状態となった際に、折り曲げ線とは異なる位置に折り跡が残ってしまい、見栄えが悪くなるおそれがある。
【００６３】
これに対して、本実施形態によれば、側板折り曲げ部において複数の折り曲げ線が近接した位置に形成されるので、折り曲げ線とは異なる位置で長側板１３が折り曲げられてしまう可能性を低減することができる。具体的には、長側板１３は、中折り曲げ線３２の位置で折り曲げやすくなっているとともに、その両側の外折り曲げ線３３および３４の位置においても折り曲げやすくなっているので、これらの位置とは異なる位置で折り曲がる可能性が低くなっている。したがって、本実施形態によれば、折り曲げ線の位置で確実に長側板１３を折り曲げることができるので、収納箱１が折り畳み状態から組み立てられた状態となった場合において、折り曲げ線とは異なる位置に折り跡が残ってしまう可能性を低減することができる。したがって、本実施形態によれば、収納箱１を組み立てた状態における見栄えを向上することができる。
【００６４】
また、側板折り曲げ部において複数の折り曲げ線が形成されることによって、各折り曲げ線にかかる負荷を低減することができ、結果として側板折り曲げ部の強度を向上することができる。具体的には、長側板１３は、中折り曲げ線３２だけでなく外折り曲げ線３３および３４においても折り曲げられるので、折り曲げ線が１本である場合に比べて、１つの折り曲げ線で折り曲げられる度合いを小さくすることができる。また、本実施形態においては、折り畳み状態においては長側板１３の内側に外フラップ１８が挟まれるので（図６参照）、外フラップ１８によって長側板１３は押し広げられるように負荷を受けるが、側板折り曲げ部において複数の折り曲げ線が形成されることによって当該負荷を低減することができる。以上のように、複数の折り曲げ線によって、折り曲げ線に加えられる負荷を低減することができ、ミシン目が割れてしまう可能性を低減することができるので、その結果、側板折り曲げ部の強度を向上することができる。
【００６５】
また、図６に示すように、折り畳み状態においては、中折り曲げ線３２が、外折り曲げ線３３および３４よりも大きく折り曲げられる。したがって、中折り曲げ線３２は、折り曲げられた時にミシン目が割れてしまう可能性が、外折り曲げ線３３および３４よりも高いと考えられる。これに関して、本実施形態においては、中折り曲げ線３２における切り込みの間隔（すなわち、図３に示すｄ１またはｄ２）は、外折り曲げ線３３および３４における切り込みの間隔（すなわち、図３に示すｄ３）よりも長い。したがって、本実施形態によれば、中折り曲げ線３２の強度を外折り曲げ線３３および３４よりも高くすることができるので、折り畳み状態において中折り曲げ線３２のミシン目が割れてしまう可能性を低減することができる。
【００６６】
また、本実施形態においては、長側板のうちでフラップと連接される側（図２における下側）については、折り畳み状態において長側板の内側にフラップが挟まれる状態となる（図６参照）。したがって、長側板の側板折り曲げ部のうち、フラップと連接される側の端部については、側板折り曲げ部（換言すれば、折り曲げ線）に加わる負荷が反対側の端部よりも大きくなり、ミシン目が割れてしまいやすい。
【００６７】
これに関して、本実施形態においては、中折り曲げ線３２のうち、長側板１３の下辺Ｌ２から所定長さまでの範囲（すなわち、図３に示す範囲Ａ）の部分におけるミシン目の切り込みの間隔（すなわち、図３に示すｄ１）を、当該範囲外の部分におけるミシン目の切り込みの間隔（すなわち、図３に示すｄ２）よりも長くしている。これによって、長側板の側板折り曲げ部のうち、フラップと連接される側の端部における強度を向上させることができ、折り畳み状態においてミシン目が割れてしまう可能性を低減することができる。
【００６８】
また、本実施形態においては、側板折り曲げ部３１における各折り曲げ線３２〜３４におけるミシン目の切り込みは、長側板１３の下辺Ｌ２から離れた位置から形成される（図３参照）。これによっても、長側板の側板折り曲げ部のうち、フラップと連接される側の端部における強度を向上させることができ、折り畳み状態においてミシン目が割れてしまう可能性を低減することができる。
【００６９】
また、本実施形態においては、中折り曲げ線のミシン目における切り込みの間隔（すなわち、図３に示すｄ１またはｄ２）は、底部折り曲げ線のミシン目における切り込みの間隔（すなわち、図３に示すｄ４）よりも長い（図３参照）。このように、折り畳み状態において外側となる長側板における折り曲げ線の強度を、折り畳み状態において内側となるフラップにおける折り曲げ線の強度よりも高くすることによって、折り畳み状態において長側板のミシン目が割れてしまう可能性を低減することができる。
【００７０】
また、本実施形態においては、側板折り曲げ部と、底折り曲げ部（より具体的には、底折り曲げ部を含む帯状部分）とには、段潰し加工が施される（図３参照）。これによれば、折り畳み状態においては、長側板およびフラップにおける角部分（すなわち、折り曲げられたときの先端となる部分）が薄くなるので、フラップの外側にある長側板に対して当該フラップによって加えられる負荷を軽減することができる。これによっても、折り畳み状態において折り畳み部のミシン目が割れてしまう可能性を低減することができる。
【００７１】
さらに、本実施形態においては、底折り曲げ部における段潰し加工が施された帯状部分３７の幅は、側板折り曲げ部３１における段潰し加工が施された部分の幅よりも広い（図３参照）。これによって、フラップの外側にある長側板に加わる負荷をより効果的に軽減することができ、折り畳み状態において折り畳み部のミシン目が割れてしまう可能性を低減することができる。なお、本実施形態においては、フラップが底形成用であるために見栄えをあまり考慮しなくてもよいので、段潰し加工が施される部分が大きくなっても大きな問題は生じない。
【００７２】
次に、収納箱１を折り畳み状態から直方体状に成形する方法について説明する。まず、折り畳み状態である収納箱１は、長側板１１および１３が平板状となる状態（つまり、折り曲げられていない状態）となるように開かれる（図５に示す矢印参照）。これによって、収納箱１は、図４に示すような、各側板が立方体の側面となる状態になる。
【００７３】
次に、各側板が立方体の側面となる状態になった収納箱１は、４つのフラップ１６〜１９が底を構成するように組み立てられる。図７は、フラップを組み立てる手順の一例を示す図である。図７の（ａ）に示すように、まず、内フラップ１６が側板１１に対して実質的に垂直となるように折り曲げ線で折り曲げられる。次に、図７の（ｂ）に示すように、２つの中フラップ１７および１９が、それぞれ、短側板１２および１４に対して実質的に垂直となるように折り曲げ線で折り曲げられる。これによって、内フラップ１６の切り欠き部分と、中フラップ１７および１９の上記矩形状の突出部分とによって隙間Ｂが形成される。そして、図７の（ｃ）に示すように、外フラップ１８の上記差込部分が隙間Ｂに差し込まれる。これによって、４つのフラップ１６〜１９によって収納箱１の底が構成される。
【００７４】
さらに、図１に示すように、収納箱１の底の内側に底板２を載置し、収納箱１の上側の開口に蓋３を被せることによって、収納箱１、底板２、および、蓋３の組み立てが完成する。なお、短側板１２の切り込み２１および２２の内側の部分を収納箱１の内側に押し込むように折り曲げることによって、収納箱１に持ち手を設けるようにしてもよい。
【００７５】
［４．上記実施形態の作用効果および変形例］
以上のように、本実施形態における収納箱は、４つの側板１１〜１４と、４つの側板にそれぞれ連接される底形成用のフラップ１６〜１９とを備える。４つの側板１１〜１４のうちの互いに対向する１組の側板（すなわち、長側板１１および１３）には、フラップに連接する第１辺（すなわち、下辺）から、当該第１辺に対向する第２辺（すなわち、上辺）まで直線状に延びる第１折り曲げ部（すなわち、側板折り曲げ部３１および３８）が設けられる。第１折り曲げ部には、第１辺の側から第２辺の側まで延びる側板折り曲げ線（すなわち、折り曲げ線３２〜３４）が複数形成される（図３参照）。上記４つのフラップのうちの、上記１組の側板にそれぞれ連接する各フラップ（すなわち、内フラップ１６および外フラップ１８）には、第１折り曲げ部の延長線上に、第２折り曲げ部（すなわち、底折り曲げ部３６および３９）が設けられる。第２折り曲げ部には、第１折り曲げ部に形成される側板折り曲げ線の数よりも少ない数の底部折り曲げ線が形成される。
【００７６】
なお、上記「（折り曲げ線が）第１辺の側から第２辺の側まで延びる」とは、折り曲げ線（例えば、ミシン目の切り込み）が各辺に接していてもよいし、接していなくてもよい意味である。すなわち、上記実施形態のように、折り曲げ線であるミシン目の切り込みは、下辺から離れた位置から形成されてもよい（図３参照）。
【００７７】
上記のように、本実施形態においては、側板の第１折り曲げ部に形成する折り曲げ線を複数とすることによって、側板の折り跡が折り曲げ線に沿って形成されやすくなる。これによって、側板の折り跡の見栄えを向上することができる。したがって、本実施形態によれば、一旦折り畳まれた後で組み立てられた収納箱の見栄えを向上することができる。また、底形成用のフラップに形成される折り曲げ線の数を、側板に形成される折り曲げ線の数よりも少なくすることによって、収納箱の見栄えに大きな影響を与えることなく、収納箱の底部の強度を向上することができる。
【００７８】
（側板折り曲げ線の本数に関する変形例）
なお、上記実施形態においては、側板に設けられる折り曲げ部に形成される複数の側板折り曲げ線として、３本の折り曲げ線が形成される態様を例として説明した。ここで、他の実施形態においては、側板折り曲げ線の数は、２本であってもよいし、４本以上であってもよい。側板折り曲げ線の数が２本である場合であっても、折り曲げ線からずれた位置で長側板が折れてしまう可能性を、１本である場合に比べて低減することができる。なお、側板折り曲げ線の数を奇数本とする場合には、中央の折り曲げ線の位置で大きく折れ曲がるとともに、その両側の折り曲げ線の位置でも折り曲がるので、左右にバランス良く長側板を折り曲げることができる。
【００７９】
（フラップに関する変形例）
上記実施形態においては、側板の上側にはフラップが設けられない収納箱を例として説明したが、収納箱は、側板の上側と下側との両方にフラップが設けられる構成であってもよい。この場合、上側のフラップのうち、長側板にそれぞれ連接する各フラップには、長側板に設けられる折り曲げ部の延長線上に、当該折り曲げ部に形成される側板折り曲げ線の数よりも少ない数の折り曲げ線が形成されてもよい。これによれば、側板の上側にフラップが設けられる構成であっても、上記実施形態と同様に収納箱を折り畳み状態とすることができる。なお、側板の上側に設けられるフラップについても、側板の下側に設けられるフラップと同様、形状は任意である。
【００８０】
（箱の材料に関する変形例）
上記実施形態においては、段ボール製の収納箱を例として説明したが、収納箱の材質は段ボールに限らず、例えば厚紙であってもよい。厚紙製の収納箱に上記実施形態を適用する場合であっても、上記実施形態と同様の効果を奏することができる。
【００８１】
（箱の用途に関する変形例）
上記実施形態においては、収納用途に用いられる箱を例として説明したが、任意の用途の箱に対して上記実施形態を適用することができる。例えば、包装用に用いられる包装箱に対して、側板に設けられる折り曲げ部において複数の折り曲げ線を形成し、当該側板に連接するフラップに折り曲げ線を形成することによって、上記実施形態と同様の効果を奏することができる。
【産業上の利用可能性】
【００８２】
上記実施形態は、例えば折り曲げられた後の見栄えを向上すること等を目的として、例えば段ボール製の収納箱に適用することができる。
【符号の説明】
【００８３】
１  収納箱
１１，１３  長側板
１２，１４  短側板
１６  内フラップ
１７，１９  中フラップ
１８  外フラップ
３１，３８  側板折り曲げ部
３２  中折り曲げ線
３３，３４  外折り曲げ線
３６，３９  底折り曲げ部
３７，４０  帯状部分
【図１】
2020026287.tif 000003
【図２】
2020026287.tif 000004
【図３】
2020026287.tif 000005
【図４】
2020026287.tif 000006
【図５】
2020026287.tif 000007
【図６】
2020026287.tif 000008
【図７】
2020026287.tif 000009